(57)【要約】【課題】リアクトルの組み立て精度を向上させ、製品の性能のばらつきを抑えると共に、製造コストの低減を図る。【解決手段】コイル１の両端の巻線をボビン２に設けられた爪部２１によって固定し、コイル１の自由長よりも伸ばした状態でボビン２に保持する。これにより、コイル１の全長が製造ロット毎にばらついていても、常に一定の長さでボビン２に固定することができ、組み立て精度が向上し、製品の性能のばらつきを抑えることが可能である。また、コイル１には収縮方向に力が働くが、ボビン２の凸部２２を外部コア３ａの溝部３１に嵌め込み固定しているので、ガタが発生せず安定して組み立てることができる。【選択図】図２
2015095532.tif 000002
【特許請求の範囲】
【請求項１】
巻線をらせん状に巻回したコイル、
前記コイルを両側から挟み込み保持する絶縁性樹脂からなる一対のボビン、
前記コイルの内周に配置される内部コアと、前記ボビンおよび前記コイルの外周を囲むように配置される外部コアとを有する磁性材料からなるコア、
前記コイル、前記ボビン、および前記コアの組立体を収納する筐体、
前記筐体の内部に充填され前記組立体を封止する封止材を備え、
前記コイルは、その両端の前記巻線を前記ボビンに設けられた爪部によって固定され、前記コイルの自由長よりも伸ばされた状態で前記ボビンに保持されることを特徴とするリアクトル。
【請求項２】
前記ボビンは、前記外部コアに設けられた凹部に嵌合する凸部を有し、前記凸部を前記凹部に嵌め込むことにより前記外部コアに固定されることを特徴とする請求項１記載のリアクトル。
【請求項３】
前記ボビンは、前記コイルの外周側において前記コイルの軸方向と平行に伸びる棒状部材を有し、前記一対のボビンそれぞれの前記棒状部材の先端を突き合わせることにより前記一対のボビンの位置決めがなされることを特徴とする請求項１または請求項２に記載のリアクトル。
【請求項４】
前記内部コアは、前記コイルの内周を貫通し、前記外部コアおよび前記ボビンに設けられた貫通孔に嵌め込まれることにより、前記外部コア、前記ボビン、および前記コイルを固定することを特徴とする請求項１記載のリアクトル。
【請求項５】
前記内部コアは、その両端部を絶縁性樹脂からなる蓋部材で覆われていることを特徴とする請求項４記載のリアクトル。
【請求項６】
前記蓋部材は、前記筐体の内壁に設けられた溝部に嵌合するリブを有し、前記リブを前記溝部に嵌め込むことにより、前記組立体が前記筐体に固定されることを特徴とする請求項５記載のリアクトル。
【請求項７】
前記ボビンは、前記筐体の開口部から露出し前記封止材により覆われていない部分に、バスバーの固定部材を保持する受け部を有し、前記受け部において固定された前記バスバーと前記コイルの先端部が接続されることを特徴とする請求項１から請求項６のいずれか一項に記載のリアクトル。
【発明の詳細な説明】
【技術分野】
【０００１】
本発明は、電力変換装置に用いられるリアクトルの構造に関する。
【背景技術】
【０００２】
コンバータの部品の一つとして用いられるリアクトルは、平角線をらせん状に巻回したコイルと、磁性材料を圧粉成形したコアとを主要部品としている。代表的なコアとして、コイルの内周に複数個の分割片から構成されるコアを嵌め込み、各分割片をギャップ板を介して接合した環状のコアが知られている。
【０００３】
従来のリアクトルにおいては、組み立て時、コイルとコアとの間に、コアに対するコイルの位置決めを行う樹脂製の筒状ボビンが介在されていた。また、コイルの両端部には、樹脂製の枠状ボビンが配置され、コイルの隣り合うターン同士が接触する圧縮状態となるように、コイルの両端を押え込んでいた。
【０００４】
従来のリアクトルの部品点数を削減し、組み立て作業性を向上させた先行例として、特許文献１では、コイルをその自由長よりも圧縮した状態に保持する樹脂モールド部を備えたコイル成形体が提示されている。この例では、樹脂モールド部でコイルを圧縮状態に保持することにより、筒状ボビンが不要となり、コイル成形体の中空孔にコアを嵌め込むことで容易にリアクトルを組み立てることができる。
【先行技術文献】
【特許文献】
【０００５】
【特許文献１】特開２０１２−１３４５６２号公報
【発明の概要】
【発明が解決しようとする課題】
【０００６】
一方、らせん状に巻回されたコイルは、その巻き取り時に外周側と内周側の曲げ部において、平角線の板厚に差が生じる。すなわち、コイル内周側の曲げ部は圧縮されて板厚が厚肉になり、コイル外周側の曲げ部は引っ張られて板厚が薄肉になる。この板厚のばらつきは、コイル成形時に均一化することは難しく、コントロールし難いものである。
【０００７】
このため、上記特許文献１のように、コイルを、隣り合うターン間の隙間を詰めた圧縮状態で樹脂モールド部（あるいは枠状ボビン）に組み付けた場合、コイルの全長にばらつきが生じていた。その結果、組み立て精度が低くなり、コイルと他の機器との接続位置が安定せず、製品としての性能にばらつきが生じるという問題があった。また、コイルと他の機器との接続が困難となる場合もあった。
【０００８】
また、従来のリアクトルは、複数個のコアの分割片の間に非磁性体からなるギャップ板を接着する工程等があり、組み立て工程が複雑で作業性が悪かった。このため、組み立てに時間を要し、製造コストの低減が困難であった。
【０００９】
本発明は上記のような課題を解決するためになされたものであり、リアクトルの組み立て精度を向上させ、製品の性能のばらつきを抑えると共に、製造コストの低減を図ることを目的とする。
【課題を解決するための手段】
【００１０】
本発明に係るリアクトルは、巻線をらせん状に巻回したコイルと、コイルを両側から挟み込み保持する絶縁性樹脂からなる一対のボビンと、コイルの内周に配置される内部コアとボビンおよびコイルの外周を囲むように配置される外部コアとを有する磁性材料からなるコアと、コイル、ボビン、およびコアの組立体を収納する筐体と、筐体の内部に充填され組立体を封止する封止材を備え、コイルは、その両端の巻線をボビンに設けられた爪部によって固定され、コイルの自由長よりも伸ばされた状態でボビンに保持されるものである。
【発明の効果】
【００１１】
本発明に係るリアクトルによれば、コイルが自由長よりも伸ばされた状態でボビンに保持されるようにしたので、コイルの全長が製造ロット毎にばらついていても、常に一定の長さでボビンに固定することができる。これにより、組み立て精度が向上し、製品の性能のばらつきを抑制することが可能である。また、成形後のコイルの長さに関して管理値を厳しく設定する必要がなくなるため、寸法外れによる不良品が低減し、製造コストの低減が図られる。
【図面の簡単な説明】
【００１２】
【図１】本発明の実施の形態１に係るリアクトルを示す分解斜視図である。
【図２】本発明の実施の形態１に係るリアクトルを示す斜視図および断面図である。
【図３】本発明の実施の形態２に係るリアクトルの組立体を示す斜視図および断面図である。
【図４】本発明の実施の形態３に係るリアクトルの組立体を示す斜視図および断面図である。
【図５】本発明の実施の形態４に係るリアクトルを示す斜視図および断面図である。
【図６】本発明の実施の形態５に係るリアクトルを示す斜視図および断面図である。
【図７】本発明の実施の形態６に係るリアクトルの組立体と筐体を示す斜視図である。
【発明を実施するための形態】
【００１３】
実施の形態１．
以下に、本発明の実施の形態１に係るリアクトルについて、図面に基づいて説明する。図１は、本実施の形態１に係るリアクトルの構成要素を示す分解斜視図である。また、図２（ａ）は、本実施の形態１に係るリアクトルを示す斜視図であり、図２（ｂ）は、図２（ａ）に示すリアクトルを水平方向に切断した断面図である。なお、図中、同一または相当部分には、同一符号を付している。
【００１４】
コイル１は、巻線である平角線をらせん状に巻回して構成される。平角線は、銅または銅合金等の導電性に優れた金属材料からなる導体と、導体の周囲を覆う絶縁被覆とからなる。コイル１の断面は、円形、楕円形、四角形、多角形等に形成される。図２（ａ）に示すコイル１の先端部１１は、他の機器と接続される。
【００１５】
絶縁性樹脂からなる一対のボビン２は、コイル１を両側から挟み込み、コイル１を絶縁すると共に保持する。コイル１は、図２（ｂ）に示すように、その両端の巻線をボビン２に設けられた爪部２１によって掴まれ、固定される。この時、コイル１は、その自由長よりも伸ばされた状態でボビン２に保持される。なお、コイルの自由長とは、コイルの無荷重時の長さである。
【００１６】
磁性材料からなるコア３は、ボビン２およびコイル１の外周を囲むように配置される外部コア３ａと、コイル１の内周に配置される内部コア３ｂを有している。ボビン２は、図２（ｂ）に示すように、外部コア３ａに設けられた凹部である溝部３１に嵌合する細長い凸部２２を有し、この凸部２２を溝部３１に嵌め込むことにより外部コア３ａに固定される。
【００１７】
ボビン２を構成する樹脂としては、例えばエポキシ樹脂、ポリフェニレンスルフィド（ＰＰＳ）等が用いられる。これらの樹脂は、リアクトルとして使用した際のコイル１およびコア３の最高到達温度に対して軟化しない耐熱性を有する。また、コア３を構成する磁性材料としては、軟磁性粉末の圧粉成形体や電磁鋼板の積層体等が用いられる。
【００１８】
上記のコイル１、ボビン２、およびコア３の組立体は、筐体４に収納される。筐体４は、前後左右の各側面および底面を有し、上部が開口しているものが一般的である。筐体４は、組立体を収納し機械的に保護すると共に、組立体からの熱を放熱する。
【００１９】
組立体を収納した筐体４の内部には、組立体を封止する封止材５が充填される。封止材５は、コイル１、ボビン２、およびコア３の周囲を覆い、組立体を機械的に保護する機能と共に、リアクトルを励磁した際に生じる振動を吸収する機能や、コイル１の露出部分を覆って機械的、電気的に保護する機能、さらに、組立体からの熱を筐体４に伝導させる機能を有する。
【００２０】
封止材５を構成する樹脂としては、例えばエポキシ樹脂やウレタン樹脂等が用いられる。これらの樹脂は、リアクトルとして使用した際のコイル１およびコア３の最高到達温度に対して軟化しない耐熱性を有する。あるいは、封止材５として、発泡ポリスチレン、発泡ポリエチレン、発泡シリコンゴム等の多孔質材料を用いることもできる。
【００２１】
なお、本実施の形態１に係るリアクトルは、コイル１がその自由長よりも伸ばされた状態でボビン２に保持されることを特徴としており、その他の構成については特に限定されるものではない。例えば、図１では、コア３は対になっているが、対でなくてもよい。また、ボビン２をコア３に固定する手段は、細長い凸部２２と溝部３１に限らず、突起状の凸部と穴等、別の手段であってもよい。
【００２２】
以上のように、本実施の形態１に係るリアクトルによれば、コイル１の両端の巻線をボビン２に設けられた爪部２１によって固定し、コイル１の自由長よりも伸ばした状態でボビン２に保持するようにしたので、コイル１の全長が製造ロット毎にばらついていても、常に一定の長さでボビン２に固定することができる。これにより、組み立て精度が向上し、製品の性能のばらつきを抑えることが可能である。
【００２３】
また、コイル１には収縮方向に力が働くが、ボビン２の凸部２２を外部コア３ａの溝部３１に嵌め込み固定しているので、ガタが発生せず安定して組み立てることができ、作業性が向上する。また、組み立て精度が向上し、コイル１の先端部１１の位置が安定するため、コイル１と他の機器を安定して接続することができる。さらに、成形後のコイル１の長さに関して管理値を厳しく設定する必要がなくなるため、寸法外れによる不良品が低減し、歩留りが向上すると共に製造コストの低減を図ることができる。
【００２４】
実施の形態２．
図３（ａ）は、本発明の実施の形態２に係るリアクトルの組立体を示す斜視図であり、図３（ｂ）は、図３（ａ）に示す組立体を水平方向に切断した断面図である。図３中、図２と同一または相当部分には、同一符号を付し説明を省略する。なお、図３に示す組立体は、上記実施の形態１と同様に筐体４（図２参照）に収納される。
【００２５】
本実施の形態２に係るリアクトルにおいても、上記実施の形態１と同様に、コイル１の両端の巻線をボビン２に設けられた爪部２１によって固定し、コイル１の自由長よりも伸ばした状態でボビン２に保持している。
【００２６】
さらに、図３（ｂ）に示すように、ボビン２ａは、コイル１の外周側においてコイル１の軸方向と平行に伸びる棒状部材２３を有している。一対のボビン２ａは、それぞれに棒状部材２３を有しており、それらの先端を突き合わせることによりボビン２ａの位置決めがなされる。突き合わせ部２３ａで突き合せた時の棒状部材２３の全長は、コイル１の自由長よりも長く設定されている。
【００２７】
本実施の形態２によれば、ボビン２ａに設けられた棒状部材２３により、コイル１の収縮方向に働く力を抑制することができるため、コイル１をその自由長よりも伸ばした状態で安定して組み立てることができ、上記実施の形態１と同様の効果が得られる。
【００２８】
実施の形態３．
図４（ａ）は、本発明の実施の形態３に係るリアクトルの組立体を示す斜視図であり、図４（ｂ）は、図４（ａ）に示す組立体を水平方向に切断した断面図である。図４中、図２と同一または相当部分には、同一符号を付し説明を省略する。なお、図４に示す組立体は、上記実施の形態１と同様に筐体４（図２参照）に収納される。
【００２９】
本実施の形態３に係るリアクトルにおいても、上記実施の形態１と同様に、コイル１の両端の巻線をボビン２ｂに設けられた爪部２１によって固定し、コイル１の自由長よりも伸ばした状態でボビン２ｂに保持している。
【００３０】
また、本実施の形態３に係るリアクトルのコアは、外部コア３ｃと内部コア３ｄから構成される。図４（ｂ）に示すように、内部コア３ｄは、コイル１の内周を貫通し、外部コア３ｃおよびボビン２ｂに設けられた貫通孔に隙間なく嵌め込まれることにより、外部コア３ｃ、ボビン２ｂ、およびコイル１を固定している。
【００３１】
本実施の形態３に係るリアクトルの組み立て工程について簡単に説明する。まず、ボビン２ｂの爪部２１にコイル１の両端を固定した後、ボビン２ｂを外部コア３ｃに組み付ける。続いて、内部コア３ｄを、外部コア３ｃおよびボビン２ｂに設けられた貫通孔と、コイル１の内周に貫通させることにより、コイル１、ボビン２ｂおよび外部コア３ｃを固定する。すなわち、内部コア３ｄは、かんぬきの役割をしている。
【００３２】
本実施の形態３によれば、上記実施の形態１と同様の効果が得られると共に、内部コア３ｄにより外部コア３ｃおよびボビン２ｂを固定しているので、他の固定部材を使用する必要がなく、さらに組み立てが容易となり製造コストの低減が図られる。
【００３３】
実施の形態４．
図５（ａ）は、本発明の実施の形態４に係るリアクトルを示す斜視図であり、図５（ｂ）は、図５（ａ）に示すリアクトルを垂直方向に切断した断面図である。なお、図５中、図４と同一または相当部分には、同一符号を付し説明を省略する。
【００３４】
本実施の形態４に係るリアクトルにおいても、上記実施の形態１と同様に、コイル１の両端の巻線をボビン２ｃに設けられた爪部によって固定し、コイル１の自由長よりも伸ばした状態でボビン２ｃに保持している。また、上記実施の形態３と同様に、外部コア３ｃと内部コア３ｄから構成されるコアを備えている。
【００３５】
さらに、本実施の形態４に係るリアクトルのボビン２ｃは、筐体４の開口部から露出し封止材により覆われていない部分に、バスバー６の固定部材であるナット７およびボルト８を保持する受け部２４を有し、この受け部２４において固定されたバスバー６とコイル１の先端部１２が接続される。
【００３６】
具体的には、受け部２４にナット７を嵌め込み、その上にバスバー６を搭載してボルト８で固定し、バスバー６をコイル１の先端部１２と溶接する。なお、ナット７は、受け部２４に予めインサート成形されていても良い。また、バスバー６とコイル１は、溶接以外の接合法により接合しても良い。
【００３７】
なお、本実施の形態４では、上記実施の形態３と同様の外部コア３ｃと内部コア３ｄを有するリアクトルのボビン２ｃに受け部２４を設けたが、上記実施の形態１または実施の形態２に係るリアクトルのボビン２（または２ａ）に受け部を設けても良い。
【００３８】
本実施の形態４によれば、上記実施の形態３と同様の効果が得られ、さらに、ボビン２ｃにナット７、ボルト８等の固定部材を保持する受け部２４を設け、他の機器との電気的な接続に必要な端子台の機能を有するようにしたので、端子台を別部品で用意する必要がなくなり、部品点数が削減し、コスト低減が図られる。
【００３９】
実施の形態５．
図６（ａ）は、本発明の実施の形態５に係るリアクトルを示す斜視図であり、図６（ｂ）は、図６（ａ）に示すリアクトルの組立体を水平方向に切断した断面図である。なお、図６中、図４と同一または相当部分には、同一符号を付し説明を省略する。
【００４０】
本実施の形態５に係るリアクトルにおいても、上記実施の形態１と同様に、コイル１の両端の巻線をボビン２ｃに設けられた爪部２１によって固定し、コイル１の自由長よりも伸ばした状態でボビン２ｃに保持している。また、上記実施の形態４と同様に、外部コア３ｃと内部コア３ｄから構成されるコアを備えている。
【００４１】
さらに、本実施の形態５に係るリアクトルの内部コア３ｄは、その両端部を絶縁性樹脂からなる蓋部材９ａ、９ｂで覆われている。内部コア３ｄの一方の端部の蓋部材９ａは、例えばインサート成形により内部コア３ｄと一体に成形される。この内部コア３ｄを、外部コア３ｃおよびボビン２ｃの貫通孔とコイル１の内周に貫通させた後、内部コア３ｄの他方の端部に蓋部材９ｂを取り付ける。
【００４２】
本実施の形態５によれば、上記実施の形態３と同様の効果が得られると共に、内部コア３ｄと外部コア３ｃの隙間を蓋部材９ａにより埋めることができ、内部コア３ｄの組み付け位置を安定させることができる。これにより、外部コア３ｃと内部コア３ｄの隙間からの漏れ磁束が安定し、製品毎のコイル１の発熱のばらつきが抑制され、製品の性能のばらつきが抑制される。
【００４３】
実施の形態６．
図７（ａ）は、本発明の実施の形態６に係るリアクトルの組立体を示す斜視図であり、図７（ｂ）は、本実施の形態６に係るリアクトルの筐体を示す斜視図である。図７中、図６と同一または相当部分には、同一符号を付し説明を省略する。
【００４４】
本実施の形態６に係るリアクトルは、上記実施の形態５と同様に、内部コア３ｄの両端部に絶縁性樹脂からなる蓋部材９ａ、９ｂを有する組立体を備え、さらに、これらの蓋部材９ａ、９ｂに細長い突起状のリブ９１を設け、筐体４の内壁に設けられた溝部４１に嵌合させるようにしたものである。
【００４５】
本実施の形態６によれば、上記実施の形態５と同様の効果が得られると共に、内部コア３ｄの両端部の蓋部材９ａ、９ｂにリブ９１を設け、筐体４の溝部４１に嵌め込んで固定するようにしたので、組立体と筐体４の組み立て精度を容易に向上させることができる。
なお、本発明は、その発明の範囲内において、各実施の形態を自由に組み合わせたり、各実施の形態を適宜、変形、省略したりすることが可能である。
【産業上の利用可能性】
【００４６】
本発明は、コンバータの部品であるリアクトルとして利用することができる。
【符号の説明】
【００４７】
１  コイル、２、２ａ、２ｂ、２ｃ  ボビン、３  コア、３ａ、３ｃ  外部コア、
３ｂ、３ｄ  内部コア、４  筐体、５  封止材、６  バスバー、７  ナット、
８  ボルト、９ａ、９ｂ  蓋部材、１１、１２  先端部、２１  爪部、２２  凸部、
２３  棒状部材、２３ａ  突き合わせ部、２４  受け部、３１、４１  溝部、
９１  リブ。
【図１】
2015095532.tif 000003
【図２】
2015095532.tif 000004
【図３】
2015095532.tif 000005
【図４】
2015095532.tif 000006
【図５】
2015095532.tif 000007
【図６】
2015095532.tif 000008
【図７】
2015095532.tif 000009
【手続補正書】
【提出日】平成27年2月3日(2015.2.3)
【手続補正１】
【補正対象書類名】特許請求の範囲
【補正対象項目名】請求項１
【補正方法】変更
【補正の内容】
【請求項１】
巻線をらせん状に巻回したコイル、
前記コイルを両側から挟み込み保持する絶縁性樹脂からなる一対のボビン、
前記コイルの内周に配置される内部コアと、前記ボビンおよび前記コイルの外周を囲むように配置される外部コアとを有する磁性材料からなるコア、
前記コイル、前記ボビン、および前記コアの組立体を収納する筐体、
前記筐体の内部に充填され前記組立体を封止する封止材を備え、
前記コイルは、その両端の前記巻線のらせん状の部分を前記ボビンに設けられた爪部に引っ掛けることにより固定され、前記コイルの自由長よりも伸ばされた状態で前記ボビンに保持されることを特徴とするリアクトル。 
【手続補正２】
【補正対象書類名】明細書
【補正対象項目名】００１０
【補正方法】変更
【補正の内容】
【００１０】
本発明に係るリアクトルは、巻線をらせん状に巻回したコイルと、コイルを両側から挟み込み保持する絶縁性樹脂からなる一対のボビンと、コイルの内周に配置される内部コアとボビンおよびコイルの外周を囲むように配置される外部コアとを有する磁性材料からなるコアと、コイル、ボビン、およびコアの組立体を収納する筐体と、筐体の内部に充填され組立体を封止する封止材を備え、コイルは、その両端の巻線のらせん状の部分をボビンに設けられた爪部に引っ掛けることにより固定され、コイルの自由長よりも伸ばされた状態でボビンに保持されるものである。